(57)【特許請求の範囲】
【請求項１】
記録情報を記録する情報記録トラックと、当該情報記録トラックに光ビームを誘導するガイドトラックとを備え、更に前記ガイドトラック上にはプリ情報を担持するプリピットが形成された光記録媒体の前記情報トラックに対して前記光ビームを照射し、当該照射した光ビームの反射光を前記情報トラックの接線方向に対して光学的に平行な分割線で第１の分割受光部と第２の分割受光部とに分割された受光手段で受光し、前記第１の分割受光部から出力する第１の読取信号と前記第２の分割受光部から出力する第２の読取信号との差分演算を行う差分器を備え、当該差分器から出力する差分信号に基づいて前記プリピットを検出するプリピット検出装置であって、
前記差分器は、前記第１の読取信号の記録部電位と前記第２の読取信号の記録部電位とを第１の基準電位に一致せしめる第１の信号電位補正手段と、前記第１の読取信号の未記録部電位と前記第２の読取信号の未記録部電位とを第２の基準電位に一致せしめる第２の信号電位補正手段とを備え、前記第１及び第２の信号電位補正手段により補正された前記第１の読取信号と前記第２の読取信号との差分演算を行うことを特徴とするプリピット検出装置。
【請求項２】
前記第１の信号電位補正手段は、前記第１の読取信号の記録部電位を抽出する第１の電位抽出手段と、前記第２の読取信号の記録部電位を抽出する第２の電位抽出手段と、前記第１の電位抽出手段からの出力を前記第２の電位抽出手段からの出力と比較する第１の比較手段と、前記第２の電位抽出手段からの出力と前記第１の基準電位とを比較する第２の比較手段と、前記第１の比較手段の出力に基づいて前記第１の読取信号の記録部電位を調整する第１の電位調整手段と、前記第２の比較手段からの出力に基づいて前記第２の読取信号の電位を調整する第２の電位調整手段と、からなる請求項１に記載のプリピット検出装置。
【請求項３】
前記第１の信号電位補正手段は、前記第１の読取信号の記録部電位を抽出する第１の電位抽出手段と、前記第２の読取信号の記録部電位を抽出する第２の電位抽出手段と、前記第１の電位抽出手段からの出力を前記第１の基準電位と比較する第１の比較手段と、前記第２の電位抽出手段からの出力と前記第１の基準電位とを比較する第２の比較手段と、前記第１の比較手段からの出力に基づいて前記第１の読取信号の記録部の電位を調整する第１の電位調整手段と、前記第２の比較手段からの出力に基づいて前記第２の読取信号の記録部の電位を調整する第２の電位調整手段と、からなる請求項１に記載のプリピット検出装置。
【請求項４】
前記第２の信号電位補正手段は、前記第１の読取信号の未記録部電位を抽出する第３の電位抽出手段と、前記第２の読取信号の未記録部電位を抽出する第４の電位抽出手段と、前記第３の電位抽出手段からの出力を前記第２の基準電位と比較する第３の比較手段と、前記第４の電位抽出手段からの出力と前記第２の基準電位とを比較する第４の比較手段と、前記第３の比較手段からの出力に基づいて前記第１の読取信号の未記録部の電位を調整する第３の電位調整手段と、前記第４の比較手段からの出力に基づいて前記第２の読取信号の未記録部の電位を調整する第４の電位調整手段と、からなる請求項１に記載のプリピット検出装置。
【請求項５】
前記第２の基準電位が接地電位であることを特徴とする請求項２に記載のプリピット検出装置。
【発明の詳細な説明】
【０００１】
【産業上の利用分野】
本発明は、アドレス情報等のプリ情報をプリピットの形態で備えた記録可能型の光学記録媒体に対して情報の記録、再生を行う光学記録再生装置における上記プリピットを検出するプリピット検出装置に関する。
【０００２】
【従来技術】
一般的に、記録可能型の光記録媒体には、未記録状態の光記録媒体上に、情報の記録を可能にするために、あらかじめアドレス情報や、記録再生動作に用いるクロック信号を生成するための基準信号が、プリピットやプリグルーブなどの形態で記録されている。例えば、ＣＤ(Compact Disc)の約７倍の情報が記録可能な記録媒体として、近年盛んに開発が進められているＤＶＤ−Ｒ(Digital Versatile Disc - Recordable)には、ビデオデータやオーディオデータなどの本来記録すべき情報が記録ピットとして記録される領域であるプリグルーブと共に、かかるプリグルーブ間の領域であるランド部にプリピット（以下、ランドプリピット：ＬＰＰと称する）が記録されている。このＬＰＰは、プリグルーブの接線方向に対して垂直に交わる直線上に、プリグルーブを挟んで隣接することがないように形成される。
【０００３】
ＬＰＰは、プリグルーブに照射した光ビームの反射光を、少なくともかかるプリグルーブの接線方向と光学的に平行な分割線で２分割された受光素子にて受光し、かかる受光素子の各領域（分割された個々の領域）からの出力信号の前記プリグルーブに垂直な方向の差分を演算し、この差分信号を所定の閾値と比較して得られる２値信号（以下ＬＰＰ信号と称する）として検出される。より具体的には、図４に示される如く、図示しないＤＶＤ−Ｒよりの反射光をＤＶＤ−Ｒの情報トラックの接線方向に対して光学的に平行な分割線ｌで第１の分割受光部1aと第２の分割受光部1bとに分割された受光手段で受光する。第１及び第２の分割受光部より出力される第１及び第２の受光信号は、それぞれアンプ２、３により増幅されて、差動アンプからなるラジアルプッシュプル生成回路４に入力される。記録媒体が光ディスクの場合には、上記分割線によってディスクの半径方向（ラジアル方向）に沿って受光素子の分割領域が形成されることになるので、上記差分信号はラジアルプッシュプル信号と呼ばれる。
【０００４】
このようにラジアルプッシュプル信号でＬＰＰを検出できるのは、上記の如くＬＰＰが、プリグルーブの接線方向に対して垂直に交わる直線上において、隣接するランド部に存在することがないように形成されているためである。つまり、光ビームを１つのプリグルーブに照射するとき、その両側のランド部からの反射光には、同時にはＬＰＰの反射成分が存在しない（いずれか一方のランド部からの反射光のみにＬＰＰ成分が存在する）ことにより、上記差分演算を行うことによりＬＰＰの反射光成分のみが抽出されるのである。ただし、通常は、差分演算による両極成分のうちいずれか一方（例えば正極成分）のみを抽出することになる。
【０００５】
抽出された差分信号は、さらにＬＰＰ検出器５に入力され、所定の閾値と比較される。閾値と比較された結果得られる２値信号がＬＰＰ信号である。
【０００６】
【発明が解決しようとする課題】
ここで、上述したプリピット検出装置を備えた記録媒体記録再生装置を使用する環境が変化してレーザーの発振器に光軸変動が生じたり、ピックアップに光学的な収差などが存在する場合には、ピックアップより出力される光ビームの光量のバランスが乱れる。また、記録媒体への記録中には、上記の原因の他に、ディスクの反射率の内外周差などの原因による反射光量のバランスが崩れるなどの理由により、結局受光素子に入射されるＤＶＤ−Ｒよりの反射光の光量のバランスが半径方向でずれる場合がある。
【０００７】
この場合、単に再生信号のラジアルプッシュプル信号を生成するだけでは、記録ピット成分を完全にはキャンセル出来ない場合が生じる。その結果、記録媒体上で、本来ＬＰＰのない場所において、読取信号のプッシュプル信号に差分信号が発生し、そこにあたかもＬＰＰが存在するかのような疑似ＬＰＰ信号が、ラジアルプッシュプル信号出力として現れることになる。その結果、ＣＰＵにて、この疑似信号が偽のプリフォーマットデータとして認識され、アドレス検索や機器の制御などに使用されてしまい、その結果、装置全体が誤作動してしまうという問題があった。
【０００８】
より具体的には、記録媒体への記録中において、第１の分割受光領域１ａ、第２の分割受光領域１ｂで得られるＲＦ信号は理想的には、各々図７のイ、ロのような信号波形となる。すなわち、ＲＦ信号イ、ロはＬＰＰ存在部以外では同一基準電位（図７では「０」）上の、同一振幅の信号波形であり、ＬＰＰ存在部ではＬＰＰにより互いに反転した極性方向へＬＰＰ成分が現れることとなる。このＲＦ信号イ、ロがラジアルプッシュプル生成回路４を通過すると、図７のハに示される差分信号が得られる。その差分信号がＬＰＰ検出回路５により所定の閾値（図７のハに記載の横方向点線部）と比較されることで、ＬＰＰ信号が抽出される。ところが、上述した原因などで、第１の分割受光領域１ａ、第２の分割受光領域１ｂで得られるＲＦ信号が図７のニ、ホに示す信号波形のように、基準電位に対してオフセットが発生したり、ＲＦ信号の振幅が互いに異なると、ラジアルプッシュプル生成回路４で得られる差分信号が図７のへに示すように、オフセット電位やＲＦ信号の振幅の差異分により、本来存在しない値を有することとなる。その差分信号へをＬＰＰ検出器５で所定の閾値（図７のヘに記載の横方向点線部）と比較すると、誤ったＬＰＰ信号が抽出されることとなる。
【０００９】
本発明は、上記の問題に鑑みてなされたもので、その課題は、半径方向に反射光量のばらつきを生じたような記録媒体、もしくは記録媒体記録再生装置において、ＬＰＰ信号の抽出を正確に行うことが出来るプリピット検出装置を提供することにある。
【００１０】
【課題を解決するための手段】
上記の課題を解決するために、請求項１に記載の発明は、記録情報を記録する情報記録トラックと、当該情報記録トラックに光ビームを誘導するガイドトラックとを備え、更に前記ガイドトラック上にはプリ情報を担持するプリピットが形成された光記録媒体の前記情報トラックに対して前記光ビームを照射し、当該照射した光ビームの反射光を前記情報トラックの接線方向に対して光学的に平行な分割線で第１の分割受光部と第２の分割受光部とに分割された受光手段で受光し、前記第１の分割受光部から出力する第１の読取信号と前記第２の分割受光部から出力する第２の読取信号との差分演算を行う差分器を備え、当該差分器から出力する差分信号に基づいて前記プリピットを検出するプリピット検出装置であって、前記差分器は、前記第１の読取信号の記録部電位と前記第２の読取信号の記録部電位とを第１の基準電位に一致せしめる第１の信号電位補正手段と、前記第１の読取信号の未記録部電位と前記第２の読取信号の未記録部電位とを第２の基準電位に一致せしめる第２の信号電位補正手段とを備え、前記第１及び第２の信号電位補正手段により補正された前記第１の読取信号と前記第２の読取信号との差分演算を行うものである。
【００１１】
請求項１に記載の発明によれば、記録媒体から、トラックの接線方向に対して光学的に平行な部位に分割された第１の読取信号と第２の読取信号を得る。
【００１２】
次に第１及び第２の読取信号の記録部の電位を予め設定された第１の基準電位に一致させる。
【００１３】
これと平行して第１及び第２の読取信号の未記録部の電位を予め設定され、かつ第１の基準電位とは異なる第２の基準電位に一致させる。
【００１４】
これらにより、生成された第１の補正読取信号と第２の補正読取信号との差分を取る。
【００１５】
従って、記録部及び未記録部の電位が一致した補正読取信号の差分をとるので、その差分から正確なＬＰＰ信号として抽出することができる。
【００１６】
請求項２に記載の発明は、請求項１に記載のプリピット検出装置において、前記第１の信号電位補正手段は、前記第１の読取信号の記録部電位を抽出する第１の電位抽出手段と、前記第２の読取信号の記録部電位を抽出する第２の電位抽出手段と、前記第１の電位抽出手段からの出力を前記第２の電位抽出手段からの出力と比較する第１の比較手段と、前記第２の電位抽出手段からの出力と前記第１の基準電位とを比較する第２の比較手段と、前記第１の比較手段の出力に基づいて前記第１の読取信号の記録部電位を調整する第１の電位調整手段と、前記第２の比較手段からの出力に基づいて前記第２の読取信号の電位を調整する第２の電位調整手段と、からなる。
【００１７】
請求項２の発明によれば、請求項１の記載の発明における第１及び第２の読取信号の記録部の電位について、まず第２の読取信号の記録部の電位を第１の基準電位に一致させる。
【００１８】
次に第１の読取信号の読取信号の記録部の電位を第２の読取信号の記録部の電位に一致させる。
【００１９】
従って第１の読取信号の記録部の電位と第２の読取信号の記録部の電位は、複数の基準電圧発生器を用いることなく第１の基準電位と一致する。
【００２０】
請求項３に記載の発明は、請求項１に記載のプリピット検出装置において、前記第１の信号電位補正手段は、前記第１の読取信号の記録部電位を抽出する第１の電位抽出手段と、前記第２の読取信号の記録部電位を抽出する第２の電位抽出手段と、前記第１の電位抽出手段からの出力を前記第１の基準電位と比較する第１の比較手段と、前記第２の電位抽出手段からの出力と前記第１の基準電位とを比較する第２の比較手段と、前記第１の比較手段からの出力に基づいて前記第１の読取信号の記録部の電位を調整する第１の電位調整手段と、前記第２の比較手段からの出力に基づいて前記第２の読取信号の記録部の電位を調整する第２の電位調整手段と、からなる。
【００２１】
請求項３に記載の発明によれば、請求項１の記載の発明における第１及び第２の読取信号の記録部の電位について、第１、第２の読取信号のそれぞれを個別に第１の基準電位に一致させる。
【００２２】
従って第１の読取信号の記録部の電位と第２の読取信号の記録部の電位は、複雑な配線なしに、第１の基準電位と一致する。
【００２３】
また、請求項４に記載の発明は、請求項１に記載のプリピット検出装置において、前記第２の信号電位補正手段は、前記第１の読取信号の未記録部電位を抽出する第３の電位抽出手段と、前記第２の読取信号の未記録部電位を抽出する第４の電位抽出手段と、前記第３の電位抽出手段からの出力を前記第２の基準電位と比較する第３の比較手段と、前記第４の電位抽出手段からの出力と前記第２の基準電位とを比較する第４の比較手段と、前記第３の比較手段からの出力に基づいて前記第１の読取信号の未記録部の電位を調整する第３の電位調整手段と、前記第４の比較手段からの出力に基づいて前記第２の読取信号の未記録部の電位を調整する第４の電位調整手段と、からなる。
【００２４】
請求項４に記載の発明によれば、請求項１の記載の発明における第１及び第２の読取信号の未記録部の電位について、第１、第２の読取信号のそれぞれを個別に第２の基準電位に一致させる。
【００２５】
従って第１の読取信号の未記録部の電位と第２の読取信号の未記録部の電位は、複雑な配線なしに、第２の基準電位と一致する。
【００２６】
請求項５に記載の発明は、請求項２に記載のプリピット検出装置において、前記第２の基準電位が接地電位であることを特徴とする。
【００２７】
従って、未記録部の信号電位は接地電位（０Ｖ）に等しくなるので、第２の基準電位としての電圧発生部を必要としない。
【００２８】
【発明の実施の形態】
次に本発明に好適な実施の形態について、図面に基づいて説明する。
まず、図５を用いてＤＶＤ−Ｒの構造について説明する。
【００２９】
図５において、ＤＶＤ−Ｒディスクは色素膜１０５を備えた一回のみ情報の書込みが可能な色素系ＤＶＤ−Ｒであり、記録情報が記録されるべきプリグルーブ１０２と当該プリグルーブ１０２に再生光又は記録光としてのレーザビーム等の光ビームＢを誘導するためのランド１０３とが形成されている。また、それらを保護するための保護膜及び記録された情報を再生する際に光ビームＢを反射するための反射面１０６を備えている。そして、このランド１０３にＬＰＰ１０４が形成されている。
【００３０】
更に当該ＤＶＤ−Ｒディスクにおいては、プリグルーブ１０２を当該ＤＶＤ−Ｒディスクの回転速度に対応する周波数でウォブリングさせている。そして、ＤＶＤ−Ｒディスクに記録情報（プリ情報及び同期信号以外の本来記録すべき画像情報などの情報）を記録する際には、情報記録装置にてプリグルーブ２のウォブリングの周波数を検出することにより同期信号を取得してＤＶＤ−Ｒディスクを所定の回転速度で回転制御するとともに、ＬＰＰ１０４を検出することにより予めプリ情報を取得し、それに基づいて記録光としての光ビームＢの最適出力などが設定されるとともに、記録情報を記録すべきＤＶＤ−Ｒディスク上の位置であるアドレス情報などが取得され、このアドレス情報に基づいて記録情報が対応する記録位置に記録される。
【００３１】
ここで、記録情報の記録時には、光ビームＢをその中心がプリグルーブ１０２の中心と一致するように照射してプリグルーブ１０２上に記録情報に対応する記録情報ピットを形成することにより記録情報を形成する。このとき、光スポットの大きさは、図５に示すように、その一部がプリグルーブ１０２だけでなくランド１０３にも照射されるように設定される。そして、このランド１０３に照射された光スポットの一部の反射光を用いてプッシュプル法によりＬＰＰ１０４からプリ情報を検出して当該プリ情報が取得されるとともに、プリグルーブ１０２に照射されている光スポットの反射光を用いてプリグルーブ１０２からウォブリング信号が検出されて回転制御用のクロック信号が取得される。
【００３２】
次に、当該ＤＶＤ−Ｒディスクに予め記録されているプリ情報及び回転制御情報の記録フォーマットについて図６を用いて説明する。なお、図６において、上段は記録情報における記録フォーマットを示し、下段の波型波形は当該記録情報を記録するプリグルーブのウォブリング状態（プリグルーブ１０２の平面図）を示し、記録情報とプリグルーブ１０２のウォブリング状態の間の上向き矢印は、ＬＰＰ１０４が形成される位置を模式的に示すものである。ここで、図６においては、プリグルーブ１０２のウォブリング状態は、理解の用意のため実際の振幅よりも大きい振幅を用いて示してあり、記録情報は当該プリグルーブ１０２の中心線上に記録される。
【００３３】
図６に示すように、ＤＶＤ−Ｒディスクに記録される記録情報は、予めシンクフレーム毎に分割されている。そして、２６のシンクフレームにより情報単位としての一つのレコーディングセクタが形成され、更に、１６のレコーディングセクタにより情報ブロックとしての一つのＥＣＣブロックが形成される。なお、一つのシンクフレームは、上記記録情報を記録する際の記録フォーマットにより規定されるビット間隔に対応する単位長さ（以下、Ｔとする）の１４８８倍（１４８８Ｔ）の長さを有しており、更に、一つのシンクフレームの先頭の１４Ｔの長さにの部分にはシンクフレームごとの同期をとるための同期情報ＳＹが記録される。
【００３４】
一方、ＤＶＤ−Ｒディスクに記録されるプリ情報は、シンクフレームごとに記録される。ここで、ＬＰＰ１０４によるプリ情報の記録においては、記録情報におけるそれぞれのシンクフレームにおける同期情報ＳＹが記録される領域に隣接するランド１０３上にプリ情報における同期信号を示すものとして必ず一つのＬＰＰ１０４が形成されるとともに、当該同期情報ＳＹ以外の当該シンクフレーム内の前半部分に隣接するランド１０３に記録するべきプリ情報の内容（アドレス情報）を示すものとして二つ又は一つのＬＰＰ１０４が形成される（なお、同期情報ＳＹ以外の当該シンクフレーム内の前半部分については、記録すべきプリ情報の内容によっては、ＬＰＰ１０４が形成されない場合もある。また、一つのレコーディングセクタの先頭のシンクフレームでは、その前半部分に必ず三つのＬＰＰ１０４が連続して形成される）。この際、一つのレコーディングセクタにおいては、偶数番目のシンクフレーム（以下ＥＶＥＮフレーム）のみ、又は奇数番目のシンクフレーム（以下ＯＤＤフレーム）のみにＬＰＰ１０４が形成されてプリ情報が記録される。すなわち、図６において、ＥＶＥＮフレームにＬＰＰ１０４が形成された場合には（図６において実線上向き矢印で示す）それに隣接するＯＤＤフレームにはＬＰＰ１０４は形成されない。
【００３５】
更にプリグルーブ１０２のウォブリングとＬＰＰ１０４の関係については、当該ウォブリングにおける最大振幅の位置にＬＰＰ４が形成されている。
【００３６】
一方、プリグルーブ１０２は総てのシンクフレームに渡って１４０ｋＨｚ（一つのシンクフレームがプリグルーブ１０２の変動波形の８波分に相当する周波数）の一定ウォブリング周波数ｆ０でウォブリングされている。そして、情報記録装置において、当該一定のウォブリング周波数ｆ０を検出することでＤＶＤ−Ｒディスクを回転させるためのスピンドルモータ（図示せず）の回転制御のための同期信号が検出される。
【００３７】
次に、図１ないし図３を用いて本発明のプリピット検出装置に好適な実施形態について説明する。
図１に、本発明の実施形態におけるプリピット検出装置の全体のブロック図を示す。
【００３８】
図１に示すように、この実施形態におけるプリピット検出装置は、図示しないスピンドルモータによって回転駆動されるＤＶＤ−Ｒ（図示せず）の情報記録面に対して記録用のビームを照射するとともに、照射した記録用のビームの上記情報記録面からの反射光を、少なくともＤＶＤ−Ｒ上のプリグルーブの接線方向に対して光学的に平行な方向で２分割された受光素子（以下、この受光素子における分割された受光素子を第１の分割受光部１ａ及び第２の分割受光部１ｂと称する）で受光し、これら第１及び第２の分割受光部で受光した反射光の光量に応じた電気信号を第１の分割ＲＦ信号ＳDRF1及び第２の分割ＲＦ信号ＳDRF2として出力するピックアップ１と、第１及び第２の分割ＲＦ信号のそれぞれの記録部及び未記録部の電位差を補正する電位補正回路２、３と、電位を補正された第１及び第２の分割ＲＦ信号ＳDRF1及びＳDRF2から差分信号としてのラジアルプッシュプル信号Ｓrppを生成する差分器であるところのラジアルプッシュプル回路４と、生成されたプッシュプル信号Ｓrppを所定の基準レベルと比較することにより２値化してＬＰＰ信号として検出するプリピット検出回路５からなる。かかるプリピット検出回路から出力されるＬＰＰ信号は、図示しないデコーダにてデコードされＬＰＰ信号が担うアドレス情報として抽出されるのである。
【００３９】
ここで、電圧制御ゲイン可変素子２１と、増幅器２２は、合わせてゲイン可変アンプを構成している。サンプルホールド２３では、後述するスペースクランプパルスＳSCPを受けて、第１の分割ＲＦ信号ＳDRF1中のスペース区間（記録ピットが形成されない期間）をサンプリングする。すなわち、スペース区間を示すＨレベルのスペースクランプパルス信号ＳSCPが供給される期間のみ、サンプルホールド２３から第１の分割ＲＦ信号ＳDRF1が出力される。ローパスフィルター２４は、サンプルホールド２３より出力された第１の分割信号ＳDRFの高周波成分を取り除いて平滑化する。差動アンプ２５は、非反転端子は接地されており、反転端子には、ローパスフィルタ２４から出力される平滑化された第１の分割信号が入力される。その結果、差動アンプ２５は、平滑化された第１の分割信号の０Ｖに対する差分電圧を出力し、増幅器２２にフィードバックする。このような構成をとることにより、第１の分割信号ＳDRF1のスペース区間は０Ｖ（第２の基準電位）にクランプされる。
【００４０】
一方、サンプルホールド２６では、後述するマーク区間クランプパルスＳMCPを受けて、ＳDRF1中のマーク区間（記録ピットが形成される区間）をサンプリングする。すなわち、マーク区間を示すマーククランプパルス信号ＳMCPが供給される期間のみ、サンプルホールド２６から第１の分割ＲＦ信号ＳDRF1が出力される。ローパスフィルター２７は、サンプルホールド２６より出力された第１の分割信号ＳDRFの高周波成分を取り除いて平滑化する。差動アンプ２８は、非反転端子は定電圧源２９の出力（定電圧Ｖｅ（第１の基準電位））が接続されており、反転端子には、ローパスフィルタ２７から出力される平滑化された第１の分割信号が入力される。結果、差動アンプ２８からは、平滑化された第１の分割信号の定電圧Ｖeに対する差分電圧を出力する。これが、上述の電圧ゲイン可変素子２１の電圧制御信号ＳCV1である。
【００４１】
電位補正回路３は、上記の電位補正回路２と同様の回路構成であり、第２の分割ＲＦ信号ＳDRF2は、電位補正回路３によって、スペース区間は０Ｖに、マーク区間は定電圧Ｖeに固定される。
【００４２】
つまり、ＤＶＤ−Ｒに記録されるマーク及びスペースは、図２のａ）に示すような記録ＮＲＺＩ（Non Return to Zero Invert）信号であるが、ＤＶＤ−Ｒに記録を行うときには、ピットの形状を成型して読取り時にクロストークを増加させぬよう、ＮＲＺＩにしたがって生成された、図２のｂ）に示すライトストラテジパルストレイン出力によって記録される。ここで、実際の記録中のＲＦ信号は、図２ｃ）に示されるように、マーク部からスペース部、あるいはスペース部からマーク部への遷移後の部分では、振幅電位が安定しない。従って、図２のｄ）、ｅ）のように、ＲＦ信号のマーク部分における振幅電位が安定する部分（本実施例ではＶ２）をサンプリングするマークＡＧＣサンプルパルスと、スペース区間におけるＲＦ信号がの振幅電位が安定する部分（本実施例ではＶ１）をサンプリングするスペース区間クランプパルスを生成させて、それぞれを電位補正回路のサンプルホールド回路２３、２６、もしくは３３、３６に注入することによって、スペース区間の電圧Ｖ1を０Ｖに、マーク区間の電圧Ｖ2をＶeにそれぞれ固定することによって、第１及び第２の分割ＲＦ信号ＳDRF1、ＳDRF2のマークとスペースの間の振幅差のバランスを取ることが可能になる。従って、各電位補正回路を介して出力させる第１及び第２の分割ＲＦ信号出力をラジアルプッシュプル回路４に入力することにより、ＲＦ信号成分のみが相殺されることとなり、安定したＬＰＰの抽出を行うことができるのである。
【００４３】
より具体的には、第１の分割ＲＦ信号ＳDRF1と第２の分割ＲＦ信号ＳDRF2が各々図８のト、チに示すような、基準電位（図８では「０」）に対して異なるオフセット成分（Ｖ３、Ｖ５）や、互いに異なる振幅（Ｖ４、Ｖ６）を有するとする。その第１の分割ＲＦ信号ＳDRF1と第２の分割ＲＦ信号ＳDRF2は、サンプルホールド回路２３、３３、ローパスフィルタ２４、３４、差動アンプ２５、３５、増幅器２２、３２による働きにより、図８のヌ、リに示すように、スペース区間（オフセット成分である）の電圧Ｖ３、Ｖ５が両者とも０Ｖにクランプされることで両者ともオフセット成分が無くなる。さらに、サンプルホールド回路２６、３６、ローパスフィルタ２７、３７、差動アンプ２８、３８、電圧ゲイン可変素子２１、３１の働きにより、マーク区間の電圧がＶｅにクランプされることなり、両信号ともに振幅も一致することとなる。このように補正された第１の分割ＲＦ信号リと第２の分割ＲＦ信号ヌの差分信号をラジアルプッシュプル回路４に入力すると、図８のルに示す差分信号が得られることとなり、ＬＰＰ検出回路５において、差分信号と所定の閾値（図８のルに記載の横方向点線部）との比較により、安定したＬＰＰ信号が抽出することが可能となる。
【００４４】
図３に、本発明の他の実施の形態を示す。この実施の形態においては、差動アンプ２８の非反転入力端子は、差動アンプ３８の反転入力端子に供給される第２の分割ＲＦ信号のマーク期間におけるサンプル電位が直接入力される。既に説明したように、差動アンプ３８の反転入力端子に入力される信号ＳDRF2のマーク区間は、定電圧源３９の電圧Ｖeに一致する様にクランプされている。従って、差動アンプ２８の非反転入力端子に入力される電圧は、結局定電圧源３９の電圧Ｖeに一致する。
【００４５】
このような構成にすると、定電圧源３９の電位Ｖｅが経年変化などにより変動しても、差動アンプ２８、３８の非反転入力端子に入力される電圧が常に一致することとなるため、第１の分割ＲＦ信号ＳDRF1と第２の分割ＲＦ信号ＳDRF2のマーク区間の電位を同一の振幅に安定して補正することが可能となる。その結果、ラジアルプッシュプル回路４にてＲＦ信号成分のみを安定してキャンセルすることが可能となる。
【００４６】
【発明の効果】
以上のように、本発明によるプリピット検出装置では、記録情報を記録する情報記録トラックと、当該情報記録トラックに光ビームを誘導するガイドトラックとを備え、更に前記ガイドトラック上にはプリ情報を担持するプリピットが形成された光記録媒体の前記情報トラックに対して前記光ビームを照射し、当該照射した光ビームの反射光を前記情報トラックの接線方向に対して光学的に平行な分割線で第１の分割受光部と第２の分割受光部とに分割された受光手段で受光し、前記第１の分割受光部から出力する第１の読取信号と前記第２の分割受光部から出力する第２の読取信号との差分演算を行う差分器を備え、当該差分器から出力する差分信号に基づいて前記プリピットを検出するプリピット検出装置であって、前記差分器は、前記第１の読取信号の記録部電位と前記第２の読取信号の記録部電位とを第１の基準電位に一致せしめる第１の信号電位補正手段と、前記第１の読取信号の未記録部電位と前記第２の読取信号の未記録部電位とを第２の基準電位に一致せしめる第２の信号電位補正手段とを備え、前記第１及び第２の信号電位補正手段により補正された前記第１の読取信号と前記第２の読取信号との差分演算を行うので、記録部及び未記録部の電位が一致した補正読取信号の差分をとることができ、その差分を正確なＬＰＰ信号として抽出することができる。
【００４７】
また、請求項２に記載のプリピット検出装置は、前記第１の信号電位補正手段は、前記第１の読取信号の記録部電位を抽出する第１の電位抽出手段と、前記第２の読取信号の記録部電位を抽出する第２の電位抽出手段と、前記第１の電位抽出手段からの出力を前記第２の電位抽出手段からの出力と比較する第１の比較手段と、前記第２の電位抽出手段からの出力と前記第１の基準電位とを比較する第２の比較手段と、前記第１の比較手段の出力に基づいて前記第１の読取信号の記録部電位を調整する第１の電位調整手段と、前記第２の比較手段からの出力に基づいて前記第２の読取信号の電位を調整する第２の電位調整手段と、で構成したので、第１の読取信号の記録部の電位と第２の読取信号の記録部の電位は、複数の基準電圧発生器を用いることなく第１の基準電位と一致する。
【００４８】
また、請求項３に記載のプリピット検出装置では、前記第１の信号電位補正手段は、前記第１の読取信号の記録部電位を抽出する第１の電位抽出手段と、前記第２の読取信号の記録部電位を抽出する第２の電位抽出手段と、前記第１の電位抽出手段からの出力を前記第１の基準電位と比較する第１の比較手段と、前記第２の電位抽出手段からの出力と前記第１の基準電位とを比較する第２の比較手段と、前記第１の比較手段からの出力に基づいて前記第１の読取信号の記録部の電位を調整する第１の電位調整手段と、前記第２の比較手段からの出力に基づいて前記第２の読取信号の記録部の電位を調整する第２の電位調整手段と、で構成したので、第１の読取信号の記録部の電位と第２の読取信号の記録部の電位は、複雑な配線なしに、第１の基準電位と一致させられる。
【００４９】
また、請求項４に記載のプリピット検出装置は、前記第３の信号電位補正手段は、前記第１の読取信号の未記録部電位を抽出する第３の電位抽出手段と、前記第２の読取信号の未記録部電位を抽出する第４の電位抽出手段と、前記第３の電位抽出手段からの出力を前記第２の基準電位と比較する第３の比較手段と、前記第４の電位抽出手段からの出力と前記第２の基準電位とを比較する第４の比較手段と、前記第３の比較手段からの出力に基づいて前記第１の読取信号の未記録部の電位を調整する第３の電位調整手段と、前記第４の比較手段からの出力に基づいて前記第２の読取信号の未記録部の電位を調整する第４の電位調整手段と、で構成したので、第１の読取信号の未記録部の電位と第２の読取信号の未記録部の電位は、複雑な配線なしに、第２の基準電位と一致する。
【００５０】
また、請求項５に記載のプリピット検出装置は、前記第２の基準電位が接地電位であるので、従って、未記録部の信号電位は接地電位（０Ｖ）に等しくなるので、第２の基準電位としての電圧発生部を必要としない。
【図面の簡単な説明】
【図１】本発明の実施形態におけるプリピット検出装置のブロック図である。
【図２】光学記録媒体への記録時の各信号を表す図である。
【図３】本発明の別の実施形態におけるプリピット検出装置のブロック図である。
【図４】従来のプリピット検出装置のブロック図である。
【図５】ランドトラックにプリピットを形成したＤＶＤ−Ｒの例である。
【図６】実施形態のＤＶＤ−Ｒにおける記録フォーマットである。
【図７】光学記録媒体への記録時の各信号を表す図である。
【図８】光学記録媒体への記録時の各信号を表す図である。
【符号の簡単な説明】
１・・・ピックアップ
２、３・・・電位補正回路
２１、３１・・・電圧ゲイン可変素子
２２、３２・・・増幅器
２３、２６、３３、３６・・・サンプルホールド回路
２４、２７、３４、３７・・・ローパスフィルタ
２５、２８、３５、３８・・・差動アンプ
２９、３９・・・定電圧源
４・・・ラジアルプッシュプル回路
５・・・ＬＰＰ検出器
【図１】
0003872235.tif 000002
【図２】
0003872235.tif 000003
【図３】
0003872235.tif 000004
【図４】
0003872235.tif 000005
【図５】
0003872235.tif 000006
【図６】
0003872235.tif 000007
【図７】
0003872235.tif 000008
【図８】
0003872235.tif 000009